(57)【要約】      （修正有）【課題】電気の供給設備があっても、水道や井戸の設備がない場所において、集水・貯水を可能にする。【解決手段】大気中の水分を凝集・貯水する給水装置であって、カバー１と電気駆動の除湿ユニット７と貯水タンク１０から構成される。カバーは操作板、吸排気孔などを備え、除湿ユニットは下部に配水管７ａ、貯水タンクの満水時に除湿ユニットの駆動を停止させるスイッチ棒７ｂを備え、貯水タンクは上部にスイッチ棒を押し上げる浮き９、配水管に対応した給水口、側部に蛇口５などを備えてなる。また、貯水タンクは給水装置に出し入れ可能で、持ち運びできるよう取手を備えたポリタンクに置き換えることもできる。【選択図】図２
2010106486.tif 000002
【特許請求の範囲】
【請求項１】
空気から水を作るユニットと下方に貯水用タンクを設置した構成とし、給水用として使用できるようにしたことを特徴とする装置。
【請求項２】
前記貯水タンクに水量を検知するセンサーを設け、貯水量を制御できるようにしたことを特徴とした装置。
【請求項３】
前記装置の貯水タンクに把手を設け、貯水タンクの交換を可能にしたことを特徴とする装置。
【請求項４】
前記装置の貯水タンクに濾過ユニットを設けたことを特徴とした装置。
【発明の詳細な説明】
【技術分野】
【０００１】
本発明は水道や井戸など、水の供給ができない場所でも、空気から水を作り、貯水し、給水用の水として利用できる装置に関するものである。
【発明の開示】
【発明が解決しようとする課題】
【０００２】
本発明は、水道や井戸などの給水設備の設置されていない所で、水を貯え給水できるようにするものである。
【０００３】
後進国などにおいては、風力発電、太陽電池等の普及により、電気の供給はあるが、井戸や水道がなく、ポリタンク等により遠方から水を運搬している現状がある。
【課題を解決するための手段】
【０００４】
本発明は、電気が供給される場所であれば水道や井戸等がなくても水の貯水を可能とすることを目的とする装置である。
【０００５】
空気中より水を作る方法は、クーラーとか除湿機などにより作れるが、その使用目的から、排水として扱われるため、極力水を作らない方法で実施されている。
【０００６】
近年の除湿機においては、除湿効果を上げるため、多量の排水をするもので、常温常湿時２４時間で、８リットル以上を排水するものも開発されている。
【０００７】
本発明は多量に水を作るユニット、例えば前記の除湿ユニットの下方に蛇口などを設けた貯水タンクを設置する構成にすることで、給水装置として使用できるようにしたものである。
【０００８】
また、第２の手段として、長時間の作動で貯水した水が溢れるのを防ぐため、定められた貯水量になった時、センサーが働き、水を作るユニットの駆動を停止させ、貯水量が定められた量より少なくなった時は、水を作るユニットを駆動させる構成としたものである。
【０００９】
また、第３の手段として、前記貯水タンクに持運び可能な把手を設け、給水装置から出し入れ可能とする構成にすることで、ポリタンクと同様に運搬できるようにしたものである。
【００１０】
また、第４の手段として、前記貯水タンクの排水部に濾過ユニットを装備する構成とし、飲料水として使用できる給水装置としたものである。
【発明の効果】
【００１１】
前述したように本発明の給水装置は、水道や井戸などの給水設備がない場所でも電気の供給ができれば、空気中より水を作り貯水することができる。
【００１２】
湿度の低い場所でも、本発明の給水装置は、２４時間稼動するので朝夕の気温変化時、空気中の湿度を捕え、貯水が可能となる。
【発明を実施するための最良の形態】
【００１３】
本発明の実施形態を図面に基づいて説明する。
【００１４】
図１は本発明の実施形態である給水装置の外観図で、カバー１の前面には空気を取り入れる吸入孔２が、上面には排気孔３が配置されている。
【００１５】
前面には電源スイッチ、作動時間設定のタイマー、パワーの強中弱などが操作できる操作板４があり、側面には水を取り出す蛇口５が配備されており、コック５ａを回すことで給水でき、装置の駆動は電源コード６からの入力で行われる。
【００１６】
図２は、本装置の内部を示す図で、除湿ユニット７（以下、水を作るユニットを除湿ユニットと呼ぶ）は、空気中から作られた水の排水管７ａと、上下することで本体電源の切換を行うことができるスイッチ棒７ｂを装備し、仕切板８上に配置されている。
【００１７】
仕切板８には、装置の下方に配備されている貯水タンク１０の水量を検知して、スイッチ棒７ｂを作動させる浮き９を保持するホルダー８ａが取り付けられている。
【００１８】
貯水タンク１０は、カバー底板９上に設置されている。
【００１９】
図３において、装置が作動中に貯水タンク１０の水量が増えて水面が上昇すると、浮き９が上昇し、除湿ユニット７のスイッチ棒７ｂを押し上げ、図示されていない除湿ユニット７のスイッチを切り、除湿ユニット７の駆動を停止する。
【００２０】
蛇口５から貯水タンク１０の水の使用が行われ、水量が減ると、ばね１１により浮き９が下方へ下げられ、除湿ユニット７のスイッチ棒７ｂが下がり、スイッチが入り、除湿作動が行われる。
【００２１】
図４は、前記貯水タンク１０と置換えて本装置より出し入れ可能にし、持運び可能にしたポリタンク１２を示す。
【００２２】
ポリタンク１２の上方には給水口１２ａとポリタンク用浮き１３を装備しており、上方には持運びできるよう把手１２ｂを設けている。
【００２３】
ポリタンク１２は図１のカバー１の下方の前面又は右側面を取り外し又は開閉できるようにし、本装置に出し入れ可能とするものである。
【００２４】
図５において、ポリタンク１２には、ポリタンク用浮き１３のガイド１４がねじ１５によって固定されており、水量が上がるとポリタンク用浮き１３が押し上げられ、スイッチ棒７ｂが押され、除湿ユニット７の駆動が止まり、水量が下がるとばね１６によって押し下げられ、スイッチ棒７ｂは下がり、除湿ユニット７は駆動する。
【００２５】
ポリタンク１２の装置への挿入時は空のため、ポリタンク用浮き１３がばね１６によってスイッチ棒７ｂとの間に隙間を形成するので、ポリタンク１２は、挿入可能であり、取り出す時はスイッチ棒７ｂとポリタンク用浮き１３がスライドできるので取出し可能である。
【００２６】
図６において、飲料用として使用するために、貯水タンク１０と蛇口５の間に濾過ユニット１７を配備し、蛇口５のコック５ａを回し給水すると、貯水タンク１０の水が濾過ユニット１７で濾過され給水できる。
【図面の簡単な説明】
【００２７】
【図１】本発明の実施形態を示す給水装置の外観斜視図を示す
【図２】装置の内部図を示す
【図３】装置の構成断面図を示す
【図４】出し入れ可能なポリタンクの外観斜視図を示す
【図５】ポリタンクの浮き部詳細断面図を示す
【図６】濾過ユニットを装備した構成図を示す
【符号の説明】
【００２８】
１  カバー
２  吸入孔
３  排気孔
４  操作板
５  蛇口
５ａ  コック
６  電源コード
７  水を作るユニット（除湿ユニット）
７ａ  配水管
７ｂ  スイッチ棒
８  仕切板
８ａ  ホルダー
９  浮き
１０  貯水タンク
１１  ばね
１２  ポリタンク
１３  ポリタンク用浮き
１４  ガイド
１７  濾過ユニット
【図１】
2010106486.tif 000003
【図２】
2010106486.tif 000004
【図３】
2010106486.tif 000005
【図４】
2010106486.tif 000006
【図５】
2010106486.tif 000007
【図６】
2010106486.tif 000008